(57)【要約】      （修正有）【課題】簡単な構造で、自然の風景を再現でき、かつ室内に容易に配置が可能で、室内の緑化が低コストで、しかも特別な配置スペースの確保を必要としない室内物緑化装置を提供する。【解決手段】室内物緑化装置１０は、草木などの植物４０を植えた緑化園２０と、緑化園２０を収納するための収納ケース３０とを備え、収納ケース３０は、緑化園２０が載置される載置台３０ａと、載置台３０ａに設けられて緑化園２０を囲むための透明ケース３０ｂとを有する。【選択図】図４
2011244788.tif 000002
【特許請求の範囲】
【請求項１】
草木などの植物を植えた緑化園と、
前記緑化園を収納するための収納ケースとを備え、
前記収納ケースは、
前記緑化園が載置される載置台と、
前記載置台に設けられて前記緑化園を囲むための透明ケースとを有することを特徴とする室内物緑化装置。
【請求項２】
前記収納ケースに、水を供給する水供給パイプが連結され、
前記水供給パイプに、前記緑化園に水を散布する水散布装置を備えることを特徴とする請求項１に記載の室内緑化装置。
【請求項３】
前記収納ケースに、前記緑化園に風を送る送風装置を備えることを特徴とする請求項１または請求項２に記載の室内緑化装置。
【請求項４】
前記収納ケースに、前記緑化園に光を当てる照明装置を備えることを特徴とする請求項１または請求項２に記載の室内緑化装置。
【請求項５】
前記収納ケースに、液晶表示装置を備えることを特徴とする請求項１乃至請求項４のいずれか１項に記載の室内緑化装置。
【請求項６】
前記収納ケースを、室内を区画するように配置することを特徴とする請求項１乃至請求項５のいずれか１項に記載の室内緑化装置。
【請求項７】
前記収納ケースを、室内の壁面に沿わせて配置することを特徴とする請求項１乃至請求項５のいずれか１項に記載の室内緑化装置。
【発明の詳細な説明】
【技術分野】
【０００１】
この発明は、建造物の室内を緑化する室内緑化装置に関するものである。
【背景技術】
【０００２】
夏期、建物で覆われている都市部は、周辺部と比較して気温が異常に上昇するヒートアイランド現象がみられ、このようなヒートアイランド現象を回避するために建物の屋上に構築可能な緑化システムが開示されている（特許文献１）。
【０００３】
また、建造物の屋上やベランダなどの建造物の外部、居間、応接間、待合室などの室内に適用可能な建造物緑化方法及び緑化装置が提案されている（特許文献２）。
【先行技術文献】
【特許文献】
【０００４】
【特許文献１】特開２００４−４９２２６号公報
【特許文献２】特開２００５−２９５９６３号公報
【発明の概要】
【発明が解決しようとする課題】
【０００５】
このように、建物の屋上や室内の緑化が行われているが、装置が複雑であり、室内の緑化にはコストがかかり、しかも特別な配置スペースの確保を必要とするなどの問題がある。
【０００６】
この発明は、かかる点に鑑みてなされたもので、簡単な構造で、自然の風景を再現でき、かつ室内に容易に配置が可能な室内緑化装置を提供することを目的としている。
【課題を解決するための手段】
【０００７】
前記課題を解決し、その目的を達成するために、この発明は、以下のように構成した。
【０００８】
請求項１に記載の発明は、草木などの植物を植えた緑化園と、前記緑化園を収納するための収納ケースとを備え、前記収納ケースは、前記緑化園が載置される載置台と、前記載置台に設けられて前記緑化園を囲むための透明ケースとを有することを特徴とする室内物緑化装置である。
【０００９】
請求項２に記載の発明は、前記収納ケースに、水を供給する水供給パイプが連結され、前記水供給パイプに、前記緑化園に水を散布する水散布装置を備えることを特徴とする請求項１に記載の室内緑化装置である。
【００１０】
請求項３に記載の発明は、前記収納ケースに、前記緑化園に風を送る送風装置を備えることを特徴とする請求項１または請求項２に記載の室内緑化装置である。
【００１１】
請求項４に記載の発明は、前記収納ケースに、前記緑化園に光を当てる照明装置を備えることを特徴とする請求項１または請求項２に記載の室内緑化装置である。
【００１２】
請求項５に記載の発明は、前記収納ケースに、液晶表示装置を備えることを特徴とする請求項１乃至請求項４のいずれか１項に記載の室内緑化装置である。
【００１３】
請求項６に記載の発明は、前記収納ケースを、室内を区画するように配置することを特徴とする請求項１乃至請求項５のいずれか１項に記載の室内緑化装置である。
【００１４】
請求項７に記載の発明は、前記収納ケースを、室内の壁面に沿わせて配置することを特徴とする請求項１乃至請求項５のいずれか１項に記載の室内緑化装置である。
【発明の効果】
【００１５】
前記構成により、この発明は、以下のような効果を有する。
【００１６】
この請求項１に記載の発明によれば、草木などの植物を植えた緑化園と、緑化園を収納するための収納ケースとを備え、収納ケースは載置台と透明ケースとを有し、緑化園によって自然の風景を再現でき、かつ室内に容易に配置することができ、さらに室内の緑化が低コストで、しかも特別な配置スペースの確保を必要としない。
【００１７】
この請求項２に記載の発明によれば、水供給パイプから水散布装置により緑化園に水を散布し、緑化園の草木などの植物に水を供給することができる。
【００１８】
この請求項３に記載の発明によれば、送風装置により緑化園に風を送ることで、緑化園の草木などの植物が風でそよぐ感じになり、しかも植物に酸素の供給が促進される。
【００１９】
この請求項４に記載の発明によれば、照明装置により緑化園に光を当てることで、緑化園の草木などの植物が光合成できる環境を作り出し、植物の発育を促すことができる。
【００２０】
この請求項５に記載の発明によれば、液晶表示装置に雲や山の風景などの映像を映し出すことで、緑化園全体的な深みや奥行きを再現することができ、また液晶表示装置に広告などの映像を映し出すことができる。
【００２１】
この請求項６に記載の発明によれば、収納ケースによって室内を区画し、室内緑化し、かつ特別なく隔壁が不要である。
【００２２】
この請求項７に記載の発明によれば、収納ケースによって壁面を装飾し、かつ室内緑化することができる。
【図面の簡単な説明】
【００２３】
【図１】緑化園の斜視図である。
【図２】収納ケースの分解斜視図である。
【図３】水散布装置、送風装置、照明装置の斜視図である。
【図４】水散布装置、送風装置、照明装置を設けた室内緑化装置の斜視図である。
【図５】液晶表示装置を設けた室内緑化装置の斜視図である。
【図６】室内緑化装置で室内を区画する状態を示す図である。
【図７】室内緑化装置で壁面を装飾する状態を示す図である。
【発明を実施するための形態】
【００２４】
以下、この発明の室内物緑化装置の実施の形態を図面に基づいて説明するが、この発明は、この実施の形態に限定されるものではない。この実施の形態の室内物緑化装置１０は、図１乃至図４に示すように、草木などの植物を植えた緑化園２０と、収納ケース３０とを備える。
【００２５】
この緑化園２０としては、例えば図１（ａ）に示すように、草木などの植物４０を植えた植物園２０ａ、また図１（ｂ）に示すように、草木などの植物４０を植えられて池や川、丘などを有する里山の風景を再現した庭園２０ｂなどが用いられる。この庭園２０ｂでは、循環ポンプ２０ｂ１とパイプ２０ｂ２とを備え、循環ポンプ２０ｂ１を駆動してパイプ２０ｂ２によって水を循環させる。
【００２６】
収納ケース３０は、図２に示すように、緑化園２０を収納するためのケースであり、載置台３０ａと、透明ケース３０ｂとを有する。載置台３０ａは、樹脂、木材などで長方形に形成され、上部３０ａ１に緑化園２０が載置され、上部３０ａ１の外周に透明ケース３０ｂを取り付ける取付部３０ａ２が設けられている。透明ケース３０ｂは、板状の透明樹脂、透明ガラスなどで形成され、この実施の形態では、４枚の板状透明体３０ｂ２を取付部３０ａ２に取り付けて緑化園２０を囲む。
【００２７】
収納ケース３０には、図３（ａ）に示すように、水散布装置５０が設けられ、水散布装置５０は操作部５０ａを操作することで、噴射ノズル５０ｂから水を植物４０に散布することができるようになっている。水散布装置５０は、連結部５０ｃによって水供給パイプ５１に連結され、この水供給パイプ５１によって水道管から水が供給される。このように、水散布装置５０により緑化園２０に水を散布し、緑化園２０の草木などの植物４０に水を供給する。
【００２８】
また、収納ケース３０には、図３（ｂ）に示すように、送風装置８０が設けられ、送風装置８０はモータ８１１によりプロペラ８２を回転し、緑化園２０に風を送る。このように、送風装置８０により緑化園２０に風を送ることで、緑化園２０の草木などの植物が風でそよぐ感じになり、しかも植物に酸素の供給が促進される。
【００２９】
また、収納ケース３０には、図３（ｃ）に示すように、照明装置９０が設けられ、照明装置９０は支持軸９１に設けたＬＥＤ９２を点灯することで、緑化園２０に光を当てる。このように、照明装置９０により緑化園２０に光を当てることで、緑化園２０の草木などの植物が光合成できる環境を作り出し、植物の発育を促すことができる。
【００３０】
この実施の形態では、図４（ａ）に示すように、室内物緑化装置１０は、緑化園２０として草木などの植物を植えた植物園２０ａが収納ケース３０に備えられ、図４（ｂ）に示すように、室内物緑化装置１０は、緑化園２０として池や川、丘などを有する里山の風景を再現した庭園２０ｂが収納ケース３０に備えられている。
【００３１】
この収納ケース３０には、水散布装置５０、送風装置８０、照明装置９０を設けているが、水散布装置５０、送風装置８０、照明装置９０のいずれも設けなくてもよく、あるいは水散布装置５０、送風装置８０、照明装置９０のいずれかを組み合わせて設けてもよい。
【００３２】
この室内物緑化装置１０には、図５（ａ），（ｂ）に示すように、収納ケース３０に液晶表示装置６０を備えることができ、再生装置６１の操作によって液晶表示装置６０に映像を映し出す。
【００３３】
図５（ａ）に示す液晶表示装置６０は、緑化園２０に対向する位置に配置され、液晶表示装置６０に雲や山の風景などの映像を映し出すことで、緑化園全体的な深みや奥行きを再現することができる。また、図５（ｂ）に示す液晶表示装置６０は、緑化園２０より上方位置に配置され、液晶表示装置６０に広告などの映像を映し出すことができる。
【００３４】
この室内物緑化装置１０は、図６に示すように、１個の室内物緑化装置１０を、収納ケース３０が室内７０を区画するように配置しているが、２個の室内物緑化装置１０を、収納ケース３０が室内７０を区画するように配置するようにしてもよい。この室内物緑化装置１０の配置によって室内を区画し、かつ室内緑化し、特別なく隔壁が不要である。
【００３５】
また、この室内物緑化装置１０は、図７に示すように、室内物緑化装置１０を、収納ケース３０が室内７０の壁面に沿わせて配置する。この室内物緑化装置１０の配置によって壁面を装飾し、かつ室内緑化することができる。
【００３６】
このように、室内物緑化装置１０は、草木などの植物を植えた緑化園２０と、緑化園２０を収納するための収納ケース３０とを備え、収納ケース３０は載置台３０ａと透明ケース３０ｂとを有し、緑化園２０によって自然の風景を再現でき、かつ室内に容易に配置することができ、さらに室内の緑化が低コストで、しかも特別な配置スペースの確保を必要としない。また、室内物緑化装置１０は、収納ケース３０によって室内７０を区画し、室内緑化し、かつ特別なく隔壁が不要である。
【産業上の利用可能性】
【００３７】
この発明は、建造物の室内を緑化する室内緑化装置に適用でき、簡単な構造で、自然の風景を再現でき、かつ室内に容易に配置が可能で、室内の緑化が低コストで、しかも特別な配置スペースの確保を必要としない。
【符号の説明】
【００３８】
１０  室内物緑化装置
２０  緑化園
３０  収納ケース
３０ａ  載置台
３０ｂ  透明ケース
４０  植物
５０  水散布装置
６０  液晶表示装置
８０  送風装置
９０  照明装置
【図１】
2011244788.tif 000003
【図２】
2011244788.tif 000004
【図３】
2011244788.tif 000005
【図４】
2011244788.tif 000006
【図５】
2011244788.tif 000007
【図６】
2011244788.tif 000008
【図７】
2011244788.tif 000009